(57)【要約】  【課題】料理の情報提供側でのサーバを不要とし、所望の実演場面を素早く出し、料理の進行に合わせて該当場面の確認を可能とし、煩わしい編集作業を不要にする。  【解決手段】  料理番組による基情報を複数の分割ファイルに分割する区分機能６０ａと、複数の分割ファイルを記憶する記憶部６４と、分割ファイルからサムネール画像を作成するメニュー作成機能６０ｂと、指示によりサムネール画像を含む分割情報メニューを画像表示装置３に表示するメニュー表示機能６０ｃと、分割情報メニューから選択された分割ファイルに対応する画像信号および音声信号を生成して、キッチンに設けられる画像表示装置３および音声出力装置５に出力する再生機能６０ｄとを有する自動編集再生装置６を設けた。【選択図】図１
2005341182.tif 000002
【特許請求の範囲】
【請求項１】
画像信号に応じて画像を画面に表示する画像表示装置と、この画像表示装置と一体または別体に設けられ、音声信号に応じて音声を出力する音声出力装置と、前記画像表示装置と一体または別体に設けられ、前記画像信号および前記音声信号を一括または個別に出力する自動編集再生装置とを備え、これら各装置のうち少なくとも前記画像表示装置がキッチンに設けられる料理レシピ編集提示システムであって、
操作に応じて各種指示を入力する入力手段を備え、
前記自動編集再生装置が、
料理の一通りの作り方の実演を収録した動画像情報および音声情報を含む基情報を、複数の分割情報に区分する区分手段と、
前記基情報に含まれる動画像情報および音声情報を記憶するものであって、前記区分手段により区分された複数の分割情報についての情報を記憶するレシピ情報記憶手段と、
前記複数の分割情報の各分割情報毎に、その分割情報に該当する動画像情報および音声情報の少なくとも一方の情報を基に、その分割情報の内容を表すとともに分割情報メニューの項目となる画像情報を作成するメニュー作成手段と、
前記入力手段により、前記複数の分割情報の全部または一部についての分割情報メニューを、前記画像表示装置の画面に表示する分割情報メニュー表示指示が入力されると、それら複数の分割情報の全部または一部の各内容に対応し前記メニュー作成手段により作成された各画像情報を含む画像信号を生成し、この画像信号を前記画像表示装置に出力するメニュー表示手段と、
このメニュー表示手段により前記画像表示装置の画面に表示された分割情報メニューの各項目のうち、前記入力手段により、所望の項目に対応する分割情報の再生指示が入力されると、その再生指示の分割情報に該当する動画像情報および音声情報を前記レシピ情報記憶手段から読み出して画像信号および音声信号をそれぞれ作成し、これら画像信号および音声信号を前記画像表示装置および前記音声出力装置にそれぞれ出力する再生手段と
により構成されることを特徴とする料理レシピ編集提示システム。
【請求項２】
前記区分手段は、前記基情報を、前記複数の分割情報として、複数の分割ファイルに区分して分割し、
前記レシピ情報記憶手段は、前記区分手段により区分されて分割された複数の分割ファイルの各々を、所定のファイル形式で記憶する
ことを特徴とする請求項１記載の料理レシピ編集提示システム。
【請求項３】
前記区分手段は、前記基情報を前記複数の分割情報に区分する区分情報を作成し、
前記レシピ情報記憶手段は、前記区分手段により作成された区分情報を、前記基情報とともに記憶する
ことを特徴とする請求項１記載の料理レシピ編集提示システム。
【請求項４】
前記区分手段は、前記基情報の開始時点と終了時点との間の時間を、一定時間毎に区分することにより、前記基情報を前記複数の分割情報に区分することを特徴とする請求項１から３のいずれかに記載の料理レシピ編集提示システム。
【請求項５】
前記区分手段は、前記基情報に含まれる動画像情報を基に、その基情報の開始時点と終了時点との間の一定時間毎に、その一定時間離れた両フレームを抽出して差分を求め、この差分が所定のしきい値を超えた場合に、その両フレーム間で前記基情報を区分する処理を繰り返すことを特徴とする請求項１から３のいずれかに記載の料理レシピ編集提示システム。
【請求項６】
前記区分手段は、前記基情報に含まれる音声情報を基に、前記実演をする人の音声が一定時間以上無い無音声箇所を検索し、その無音声箇所で前記基情報を区分することを特徴とする請求項１から３のいずれかに記載の料理レシピ編集提示システム。
【請求項７】
前記自動編集再生装置は、キーワードを各種記憶するキーワード記憶手段と、前記基情報に含まれる音声情報を認識してテキストに変換する音声認識手段と、前記キーワード記憶手段に記憶されたキーワードが前記音声認識手段により変換されたテキストに含まれているか否かを判別し、そのキーワードが含まれていれば、そのキーワードを前記基情報による複数の分割情報の組みに割り付けて、各基情報による複数の分割情報の組み別に前記レシピ情報記憶手段に記憶するキーワード割付手段とを備え、
前記メニュー表示手段は、前記画像表示装置の画面に表示された、前記レシピ情報記憶手段に記憶された各キーワードの全部または一部についてのレシピメニューにおいて、各キーワードから所望のキーワードを選択する指示が入力されると、その指示を前記分割情報メニュー表示指示とする
ことを特徴とする請求項１から６のいずれかに記載の料理レシピ編集提示システム。
【請求項８】
前記自動編集再生装置は、料理のタイトルを構成する用語を各種記憶するタイトル用語記憶手段と、前記基情報に含まれる音声情報を認識してテキストに変換する音声認識手段と、前記タイトル用語記憶手段に記憶された用語が前記音声認識手段により変換されたテキストに含まれているか否かを判別し、その用語が含まれていれば、その用語を含む文から料理のタイトルを決定し、このタイトルを前記基情報による複数の分割情報の組みに割り付けて、各基情報による複数の分割情報の組み別に前記レシピ情報記憶手段に記憶するタイトル割付手段とを備え、
前記メニュー表示手段は、前記画像表示装置の画面に表示された、前記レシピ情報記憶手段に記憶された各タイトルの全部または一部についてのレシピメニューにおいて、各タイトルから所望のタイトルを選択する指示が入力されると、その指示を前記分割情報メニュー表示指示とする
ことを特徴とする請求項１から６のいずれかに記載の料理レシピ編集提示システム。
【発明の詳細な説明】
【技術分野】
【０００１】
本発明は、料理の一通りの作り方の実演を収録した動画像情報および音声情報を基に、その実演の所望の場面をキッチンの利用者に提示する料理レシピ編集提示システムに関するものである。
【背景技術】
【０００２】
従来より、料理を作るときに、購入した市販の料理本を参考にする場合があるが、例えば「とろみが出てきたら」とか、「『の』の字がかけたら」とかいうような抽象的な表現が出てくる場合が多いため、文章ではその加減が分かり難く、写真があっても掲載される数に制限があるため、結局写真を見ても分からない場合がある。
【０００３】
このため、ある料理の一通りの作り方の実演を収録した動画像情報および音声情報を提供する料理番組を利用して、テレビに接続された例えばビデオまたはＤＶＤ装置などにより、ビデオテープまたはＤＶＤディスクなどの記録媒体に、その料理番組を記録し、必要に応じてその記録媒体を再生してテレビを見れば、料理の作り方の理解が容易となり、それを参考にして料理を作ることができる。
【０００４】
このほか、特許文献１には、インタネットを利用した動画により料理を行えるようにする料理ナビゲーションシステムが、特許文献２には、レシピデータベースを備え、これにより通信網を介して料理レシピ情報を提供する調理情報システムが開示されている。これらいずれのシステムも、サーバを備え、サーバから料理の情報をダウンロードするようになっている。
【０００５】
また、特許文献３には、食情報をコード情報として付加されたメディア媒体を用い、好みの情報を簡単に累積記憶し、メニュー検索可能とし、食材を注文可能とする食情報装置が記載されている。また、特許文献４には、データベースに登録されているテンプ識別子のレシピが良く参照されたときに基本識別子に変更する手段を備えた献立支援システムが開示されている。さらに、特許文献５には、料理メニューのレシピ情報等をスキャナで読み込んで画像データで保存し、保存した画像データを読み出すようにした料理情報管理装置が記載されている。これらは、いずれも料理の情報を蓄積する構成になっている。
【特許文献１】特開２００１−６７４１４号公報
【特許文献２】特開２００２−２９０９５５号公報
【特許文献３】特開平８−２７２８０８号公報
【特許文献４】特開２０００−２６８０５６号公報
【特許文献５】特開２０００−２８５１００号公報
【発明の開示】
【発明が解決しようとする課題】
【０００６】
しかしながら、上記のように、料理番組をビデオテープまたはＤＶＤディスクなどの記録媒体に記録し、必要に応じてそれを再生してテレビで見る方法では、面倒な操作をしなければならないという問題がある。すなわち、料理番組はある時間連続するものであるため、必要な料理の実演場面を見たい場合、操作時間の違いこそあれ、ビデオ装置であってもＤＶＤ装置であっても送りまたは戻し操作をして、所望の実演場面を探さなければならず、また同じ実演場面を再確認する場合には、再度戻し操作をしなければならないという問題がある。また、一般にテレビはキッチンから離れた居間などに置かれているため、居間とキッチンとを行き来しなければならない不便さが常につきまとう。
【０００７】
上述の料理本なら、確認したい内容の記載された頁を開いておけば、その内容を確認しながら料理を作っていくことができるが、料理本をキッチンに広げておけない場合は、結局上記と同様に、キッチンと他の部屋とを行き来しなければならなくなり、また、手放せない作業をしているときにはその内容を確認することができなくなる。
【０００８】
このため、キッチンに別のディスプレイ装置を設け、再生した料理番組をそのディスプレイ装置で見れば、キッチンと他の部屋とを行き来する必要はなくなるが、所望の実演場面を探さなければならないという問題点は解決されない。
【０００９】
特許文献１，２のシステムでは、料理の情報の提供者が、情報の更新やメンテナンスを行わなければならず、システムを維持するための費用がかかるという問題がある。また、料理の情報をダウンロードしながら再生する場合は、通信速度により、うまく表示されない問題が発生しうる。
【００１０】
特許文献３から５の装置等では、いずれも取り込んだデータは未編集で保存される。すなわち、特許文献３では、メディア媒体からコード情報を簡単に取り込むことができる代わりに、コード情報しか取り込むことができない。特許文献４では、受信した料理番組の料理情報（レシピ）を、テンプ識別子を付与して登録するので、レシピは、録画しただけの料理情報となる。特許文献５では、料理メニューのレシピ情報等がスキャナで読み込まれるので、スキャナで読み込んだ画像データを表示することしかできない。
【００１１】
本発明は、上記事情に鑑みてなされたものであり、料理の一通りの作り方の実演を収録する側にサーバを設ける必要を無くし、所望の実演場面を素早く確認することができるとともに、実際の料理の進行に合わせて該当する場面を確認しながら料理を作っていくことができ、しかも、所望の実演場面を素早く確認するために必要となる煩わしい編集作業を不要にすることができる料理レシピ編集提示システムを提供することを目的とする。
【課題を解決するための手段】
【００１２】
上記課題を解決するための請求項１記載の発明は、画像信号に応じて画像を画面に表示する画像表示装置と、この画像表示装置と一体または別体に設けられ、音声信号に応じて音声を出力する音声出力装置と、前記画像表示装置と一体または別体に設けられ、前記画像信号および前記音声信号を一括または個別に出力する自動編集再生装置とを備え、これら各装置のうち少なくとも前記画像表示装置がキッチンに設けられる料理レシピ編集提示システムであって、操作に応じて各種指示を入力する入力手段を備え、前記自動編集再生装置が、料理の一通りの作り方の実演を収録した動画像情報および音声情報を含む基情報を、複数の分割情報に区分する区分手段と、前記基情報に含まれる動画像情報および音声情報を記憶するものであって、前記区分手段により区分された複数の分割情報についての情報を記憶するレシピ情報記憶手段と、前記複数の分割情報の各分割情報毎に、その分割情報に該当する動画像情報および音声情報の少なくとも一方の情報を基に、その分割情報の内容を表すとともに分割情報メニューの項目となる画像情報を作成するメニュー作成手段と、前記入力手段により、前記複数の分割情報の全部または一部についての分割情報メニューを、前記画像表示装置の画面に表示する分割情報メニュー表示指示が入力されると、それら複数の分割情報の全部または一部の各内容に対応し前記メニュー作成手段により作成された各画像情報を含む画像信号を生成し、この画像信号を前記画像表示装置に出力するメニュー表示手段と、このメニュー表示手段により前記画像表示装置の画面に表示された分割情報メニューの各項目のうち、前記入力手段により、所望の項目に対応する分割情報の再生指示が入力されると、その再生指示の分割情報に該当する動画像情報および音声情報を前記レシピ情報記憶手段から読み出して画像信号および音声信号をそれぞれ作成し、これら画像信号および音声信号を前記画像表示装置および前記音声出力装置にそれぞれ出力する再生手段とにより構成されることを特徴とする。
【００１３】
この構成では、入力手段により分割情報メニュー表示指示を入力すれば、分割情報メニューが画像表示装置の画面に表示され、その中から所望の項目に対応する分割情報の再生指示を入力手段で入力すれば、その分割情報に該当する動画像が画像表示装置の画面に表示されるとともに、その分割情報に該当する音声が音声出力装置から出力されるので、所望の実演場面を素早く確認することができるとともに、実際の料理の進行に合わせて該当する場面を確認しながら料理を作っていくことができる。しかも、料理の一通りの作り方の実演を収録した動画像情報および音声情報を含む基情報が、自動的に複数の分割情報に区分されるとともに、分割ファイルを選択するための分割情報メニューが自動的に作成されるので、手間となるそれらの編集作業を不要にすることができる。また、料理の一通りの作り方の実演を収録する側にサーバを設ける必要を無くすことができる。
【００１４】
請求項２記載の発明は、請求項１記載の料理レシピ編集提示システムにおいて、前記区分手段は、前記基情報を、前記複数の分割情報として、複数の分割ファイルに区分して分割し、前記レシピ情報記憶手段は、前記区分手段により区分されて分割された複数の分割ファイルの各々を、所定のファイル形式で記憶することを特徴とする。この構成では、複数の分割ファイルがレシピ情報記憶手段に記憶されるので、レシピ情報記憶手段から分割ファイルを個々に読み出すことができ、その読み出した分割ファイルから、その分割ファイルに該当する動画像情報および音声情報を取り出すことができる。
【００１５】
請求項３記載の発明は、請求項１記載の料理レシピ編集提示システムにおいて、前記区分手段は、前記基情報を前記複数の分割情報に区分する区分情報を作成し、前記レシピ情報記憶手段は、前記区分手段により作成された区分情報を、前記基情報とともに記憶することを特徴とする。この構成では、基情報を複数の分割情報に区分する区分情報を基に、基情報から、所望の分割情報に該当する動画像情報および音声情報を取り出すことができる。
【００１６】
請求項４記載の発明は、請求項１から３のいずれかに記載の料理レシピ編集提示システムにおいて、前記区分手段は、前記基情報の開始時点と終了時点との間の時間を、一定時間毎に区分することにより、前記基情報を前記複数の分割情報に区分することを特徴とする。この構成では、基情報を複数の分割情報に簡単に区分することができ、また各分割情報の動画像および音声により、料理の作り方の各手順を違和感無く確認していくことができる。
【００１７】
請求項５記載の発明は、請求項１から３のいずれかに記載の料理レシピ編集提示システムにおいて、前記区分手段は、前記基情報に含まれる動画像情報を基に、その基情報の開始時点と終了時点との間の一定時間毎に、その一定時間離れた両フレームを抽出して差分を求め、この差分が所定のしきい値を超えた場合に、その両フレーム間で前記基情報を区分する処理を繰り返すことを特徴とする。この構成では、料理の作り方の各手順の移行箇所に対する区分箇所の誤差の発生を抑制することができ、また一定時間を適切な時間に調整することにより、分割情報の数が膨大になるのを防止することができるとともに、区分箇所が、料理の作り方の各手順間の箇所から大きくずれるのを防止することができる。
【００１８】
請求項６記載の発明は、請求項１から３のいずれかに記載の料理レシピ編集提示システムにおいて、前記区分手段は、前記基情報に含まれる音声情報を基に、前記実演をする人の音声が一定時間以上無い無音声箇所を検索し、その無音声箇所で前記基情報を区分することを特徴とする。この構成では、料理の作り方の各手順の移行箇所に対する区分箇所の誤差の発生を抑制することができる。
【００１９】
請求項７記載の発明は、請求項１から６のいずれかに記載の料理レシピ編集提示システムにおいて、前記自動編集再生装置は、キーワードを各種記憶するキーワード記憶手段と、前記基情報に含まれる音声情報を認識してテキストに変換する音声認識手段と、前記キーワード記憶手段に記憶されたキーワードが前記音声認識手段により変換されたテキストに含まれているか否かを判別し、そのキーワードが含まれていれば、そのキーワードを前記基情報による複数の分割情報の組みに割り付けて、各基情報による複数の分割情報の組み別に前記レシピ情報記憶手段に記憶するキーワード割付手段とを備え、前記メニュー表示手段は、前記画像表示装置の画面に表示された、前記レシピ情報記憶手段に記憶された各キーワードの全部または一部についてのレシピメニューにおいて、各キーワードから所望のキーワードを選択する指示が入力されると、その指示を前記分割情報メニュー表示指示とすることを特徴とする。この構成では、レシピメニューからキーワードを基に所望の料理を選定することができ、しかもキーワードを各複数の分割情報の組み毎に割り付ける手間を無くすことができる。また、レシピデータベースを自動で構築することができる。
【００２０】
請求項８記載の発明は、請求項１から６のいずれかに記載の料理レシピ編集提示システムにおいて、前記自動編集再生装置は、料理のタイトルを構成する用語を各種記憶するタイトル用語記憶手段と、前記基情報に含まれる音声情報を認識してテキストに変換する音声認識手段と、前記タイトル用語記憶手段に記憶された用語が前記音声認識手段により変換されたテキストに含まれているか否かを判別し、その用語が含まれていれば、その用語を含む文から料理のタイトルを決定し、このタイトルを前記基情報による複数の分割情報の組みに割り付けて、各基情報による複数の分割情報の組み別に前記レシピ情報記憶手段に記憶するタイトル割付手段とを備え、前記メニュー表示手段は、前記画像表示装置の画面に表示された、前記レシピ情報記憶手段に記憶された各タイトルの全部または一部についてのレシピメニューにおいて、各タイトルから所望のタイトルを選択する指示が入力されると、その指示を前記分割情報メニュー表示指示とすることを特徴とする。この構成では、レシピメニューからタイトルを基に所望の料理を選定することができ、しかもタイトルを各複数の分割情報の組み毎に割り付ける手間を無くすことができる。また、レシピデータベースを自動で構築することができる。
【発明の効果】
【００２１】
本発明によれば、料理の一通りの作り方の実演を収録する側にサーバを設ける必要を無くし、所望の実演場面を素早く確認することができるとともに、実際の料理の進行に合わせて該当する場面を確認しながら料理を作っていくことができ、しかも、所望の実演場面を素早く確認するために必要となる煩わしい編集作業を不要にすることができる。
【発明を実施するための最良の形態】
【００２２】
（実施形態１）
図１は本発明による実施形態１の料理レシピ編集提示システムの概略構成図である。
【００２３】
本実施形態１の料理レシピ編集提示システムは、例えば、料理番組の各場面のうち必要な場面をキッチンで料理をする利用者に即座に提示するものであり、図１に示すように、例えば居間などにテレビ１とともに設けられる録画再生装置２を備えているほか、キッチンに設けられる画像表示装置３と、自動編集再生装置６とを備えている。なお、自動編集再生装置６の設置場所については特に制限はない。
【００２４】
録画再生装置２は、録画・再生用の例えばビデオまたはＤＶＤ装置などであり、通常、アンテナ（ケーブルテレビの場合はホームターミナルなどの所定機器）と接続される。なお、テレビ１は、録画再生装置２を介してアンテナ（所定機器）と接続される。
【００２５】
画像表示装置３は、画像信号に応じて画像を画面３０に表示する例えば液晶テレビなどのパネル型テレビであり、入力手段を構成するタッチパネル４を、画面３０の前面に備えているほか、タッチパネル信号出力用のインタフェース４０と、画像・音声信号入力用のインタフェース３１と、音声出力装置５とを内蔵している。
【００２６】
タッチパネル４は、画面３０上の各項目（各種メニューの各項目）を指で触れる操作に応じて、各指接触位置情報を、各項目に割り当てられた各種指示として入力（検出）するものである。インタフェース４０は、タッチパネル４により入力された指示として、画面３０上のその指接触位置情報を出力するものである。つまり、上記入力手段は、タッチパネル４と、上記項目（画像または文字など）を表示するためのＧＵＩ（グラフィカル・ユーザ・インタフェース）と、インタフェース４０と、後述の自動編集再生装置６のインタフェース６１とにより構成される。
【００２７】
インタフェース３１は、上記画像信号および音声出力装置５への音声信号を一括および個別のいずれかで入力するものである。音声出力装置５は、アンプおよびスピーカなどにより構成され、インタフェース３１に入力された音声信号に応じて音声を出力するものである。
【００２８】
自動編集再生装置６は、上記必要な場面を利用者に提示するための処理を実行するものであり、タッチパネル信号入力用のインタフェース６１と、画像・音声信号入力用のインタフェース６２と、画像・音声信号出力用のインタフェース６３と、記憶部６４と、制御部６０とを備えている。
【００２９】
インタフェース６１は、タッチパネル４により入力された指示として、画像表示装置３のインタフェース４０からの指接触位置情報を入力するものである。インタフェース６２は、録画再生装置２からの画像信号および音声信号を一括および個別のいずれかで入力するものである。インタフェース６３は、画像信号および音声信号を一括および個別に出力するものである。
【００３０】
記憶部６４は、ディスク状の記録媒体にデータを読み書きする例えばハードディスク装置により構成され、各種データないしファイルを記憶するものであり、例えば、後述の区分機能６０ａにより区分された複数の分割ファイルを、ＭＰＥＧなどの所定のファイル形式で記憶するとともに、後述のメニュー作成機能６０ｂにより作成された分割情報メニューの項目となる静止画像を、ＪＰＥＧなどの所定のファイル形式で記憶する。
【００３１】
制御部６０は、例えばマイコンおよびこれにより実行されるプログラムなどにより構成され、区分機能６０ａ、メニュー作成機能６０ｂ、メニュー表示機能６０ｃおよび再生機能６０ｄなどの各種処理機能を有している。
【００３２】
区分機能６０ａは、インタフェース６２を介して入力される録画再生装置２からの、料理番組による料理の一通りの作り方の実演を収録した動画像情報および音声情報を含む基情報を、複数の分割情報に区分する処理を行うものである。ここでは、基情報を、複数の分割情報として、複数の分割ファイルに区分して分割する処理が実行される。一具体例としては、タッチパネル４により、所定メニューでの区分実行指示がインタフェース６１を介して入力されると、録画再生装置２からの再生信号（画像信号および音声信号）監視モードに移行し、この後、録画再生装置２からの再生信号を検出すると、録画再生装置２からの基情報を、複数の分割ファイルに区分して分割し、これら複数の分割ファイルを記憶部６４に記憶する処理が実行される。複数の分割ファイルへの分割は、録画再生装置２からの基情報を記憶部６４に一旦記憶した後に実行するようにしてもよく、録画再生装置２からの基情報を記憶部６４に記憶しながら実行するようにしてもよい。
【００３３】
なお、上記所定メニューは、起動時に表示される初期メニューでもよく、あるいは初期メニューから、タッチパネル４の入力により切り替えられる階層的に後のメニューでもよい。また、区分機能６０ａは、区分の前に、基情報からコマーシャルを削除するようにしてもよい。
【００３４】
メニュー作成機能６０ｂは、記憶部６４に記憶された複数の分割ファイルの各分割ファイル毎に、その分割ファイルに該当する動画像情報および音声情報の少なくとも一方の情報を基に、その分割ファイルの内容を表すとともに分割情報メニューの項目となる画像情報を作成する処理を行うものである。一具体例としては、記憶部６４に記憶された複数の分割ファイルの各分割ファイル毎に、その分割ファイルに該当する動画像情報から、その分割ファイルの内容を表すとともに分割情報メニューの項目となる静止画像（いわゆるサムネール画像）の情報を抽出し、この静止画像をその分割ファイルに対応付けて記憶部６４に記憶する処理が実行される。
【００３５】
メニュー表示機能６０ｃは、タッチパネル４により、複数の分割ファイルの全部または一部についての分割情報メニューを、画像表示装置３の画面３０に表示する分割情報メニュー表示指示が、インタフェース６１を介して入力されると、それら複数の分割ファイルの全部または一部の各内容に対応しメニュー作成機能６０ｂにより作成された各画像情報を含む画像信号を生成し、この画像信号をインタフェース６３を介して画像表示装置３に出力する処理を行うものである。ここで、上記一部の各内容に対応する各画像情報が、画像表示装置３の画面３０に表示されることになる場合には、残りの各内容に対応する各画像情報が、画像表示装置３の画面３０に順次表示するための釦アイコンなどが分割情報メニューに表示される。なお、分割情報メニューに切り替わる前のメニューについては、後の実施形態５で説明する。
【００３６】
再生機能６０ｄは、メニュー表示機能６０ｃにより画像表示装置３の画面３０に表示された分割情報メニューの各項目のうち、タッチパネル４により、所望の項目に対応する分割ファイルの再生指示がインタフェース６１を介して入力されると、その再生指示の分割ファイルに該当する動画像情報および音声情報を記憶部６４から読み出してインタフェース６３に出力することにより、画像信号および音声信号をそれぞれ作成し、これら画像信号および音声信号を画像表示装置３およびこれに内蔵される音声出力装置５にそれぞれ出力する処理を行うものである。なお、各項目に対応する分割ファイルの再生指示と、インタフェース６１から得られる各指接触位置情報とがそれぞれ対応付けられていることは言うまでもない。
【００３７】
次に、上記構成の料理レシピ編集提示システムの動作について説明する。先ず、自動編集再生装置６への料理レシピ登録時の動作について説明すると、基情報を自動編集再生装置６に入力するべく、画像表示装置３の画面３０上の所定メニューにおける区分実行指示用の項目を指で触れる（押さえる）。そうすると、タッチパネル４により、所定メニューでの区分実行指示がインタフェース６１を介して自動編集再生装置６に入力され、自動編集再生装置６が再生信号監視モードに移行する。
【００３８】
この後、録画再生装置２により所望の料理番組を再生すれば、自動編集再生装置６において、録画再生装置２からの基情報が、複数の分割ファイルに区分・分割され、これら複数の分割ファイルが記憶部６４に記憶される。続いて、それら複数の分割ファイルの各分割ファイル毎に、その分割ファイルに該当する動画像情報から、その分割ファイルの内容を表すとともに分割情報メニューの項目となる静止画像の情報が抽出され、その分割ファイルに対応付けられて記憶部６４に記憶される。以上により、自動編集再生装置６への料理レシピの登録が完了する。
【００３９】
次に、上記登録した料理レシピの必要な場面を見ながら料理を作る場合の動作例について説明する。自動編集再生装置６において、タッチパネル４により、上記料理レシピに含まれる複数の分割ファイルの全部または一部についての分割情報メニューを、画像表示装置３の画面３０に表示する分割情報メニュー表示指示が、インタフェース６１を介して入力されると、それら複数の分割ファイルの全部または一部の各内容に対応する各画像（サムネール画像）情報を含む画像信号が生成され、インタフェース６３を介して画像表示装置３に出力される。これにより、各画像（サムネール画像）を含む分割情報メニューが画像表示装置３の画面３０に表示される。
【００４０】
この後、利用者が分割情報メニューの所望の項目（サムネール画像）に触れると、自動編集再生装置６において、タッチパネル４により、所望の項目に対応する分割ファイルの再生指示がインタフェース６１を介して入力される。続いて、その再生指示の分割ファイルに該当する動画像情報および音声情報が記憶部６４から読み出されてインタフェース６３に出力されることにより、画像信号および音声信号が、画像表示装置３およびこれに内蔵される音声出力装置５にそれぞれ出力される。これにより、所望の分割ファイルに該当する動画像が画像表示装置３の画面３０に表示されるとともに、所望の分割ファイルに該当する音声が音声出力装置５から出力される。
【００４１】
以上、本実施形態１によれば、タッチパネル４により分割情報メニュー表示指示を入力すれば、分割情報メニューが画像表示装置３の画面３０に表示され、その中から所望の項目に対応する分割ファイルの再生指示をタッチパネル４で入力すれば、その分割ファイルに該当する動画像が画像表示装置３の画面に表示されるとともに、その分割ファイルに該当する音声が音声出力装置５から出力されるので、所望の実演場面を素早く確認することができるとともに、実際の料理の進行に合わせて該当する場面を確認しながら料理を作っていくことができる。しかも、料理の一通りの作り方の実演を収録した動画像情報および音声情報を含む基情報が、自動的に複数の分割ファイルに区分・分割されるとともに、分割ファイルを選択するための分割情報メニューが自動的に作成されるので、手間となるそれらの編集作業を不要にすることができる。また、料理の一通りの作り方の実演を収録する側にサーバを設ける必要を無くすことができる。
【００４２】
これにより、テレビの料理番組を参考にして料理をする場合に、ビデオを一時停止したり何度も巻き戻しながらメモをとったりしなくてもキッチンで必要な情報を得ることができる。つまり、長い動画を全て再生したり、早送りやまき戻しをすることなく必要な部分の情報を簡単に取り出して繰り返し閲覧できる。
【００４３】
また、料理中に、レシピの分割ファイルを画像表示装置３の画面３０に表示することができるので、キッチンでビデオを見るよりも使い勝手が良くなる。例えば、料理番組をそのまま再生する場合には、数分〜数十分の連続した１個のファイルとなるため、中間の工程を見たい場合、ビデオであればその場所まで早送りする必要がある。これに対して、本実施形態１によれば、基情報が複数の分割ファイルに分割され、ディスク状の記録媒体にデータを読み書きするハードディスク装置に記憶されるので、望む場面のみを何度でも素早く再生することができる。さらに、分割ファイルにサムネール画像を対応付けているので、サムネール画像により、所望の分割ファイルを選択し易くなり、料理本と同じような感覚で、必要となる場面を呼び出し易くなる。
【００４４】
なお、実施形態１では、区分機能６０ａは、基情報を、複数の分割情報として複数の分割ファイルに区分して分割する構成になっているが、これに限らず、基情報を複数の分割情報に区分する区分情報を作成し、この区分情報を基情報とともに記憶部６４に記憶する構成でもよい。この構成でも、区分情報を基に、基情報を複数の分割情報に区分することができる。
【００４５】
また、実施形態１では、上記入力手段として、タッチパネル４と、インタフェース４０とを画像表示装置３に設けるとともに、インタフェース６１を自動編集再生装置６に設ける構成になっているが、これに限らず、各種操作釦と、これらのうちいずれの操作釦が操作されたかを示す信号を出力する信号出力用のインタフェースとを画像表示装置３に設けるとともに、その信号を入力する信号入力用のインタフェースを自動編集再生装置６に設ける構成でもよい。あるいは、各種操作釦を有する別体の赤外線式リモコンと、自動編集再生装置６に設けられ、上記赤外線式リモコンからの赤外線によるコマンドを受信する受光ユニットからなるインタフェースとにより入力手段を構成してもよい。
【００４６】
また、実施形態１では、音声出力装置５は、画像表示装置３に内蔵される構成になっているが、画像表示装置３と別体で設けられて、画像表示装置３と並設される構成でも、キッチン外からキッチン内に向けて音声を発するように設けられる構成でもよい。
【００４７】
さらに、実施形態１では、自動編集再生装置６は、別個独立に設けられる構成になっていが、これに限らず、録画再生装置２に内蔵される構成でも、画像表示装置３に内蔵される構成でもよい。
【００４８】
あるいは、自動編集再生装置６は、録画および再生のうち少なくとも再生用のＤＶＤ装置（ＤＶＤプレーヤ）を備える構成でも、録画再生装置２と同様の受信チューナ、カレンダ機能付きタイマおよび番組予約機能を備える構成でもよい。ＤＶＤ装置を備える構成の場合には、録画再生装置２（ＤＶＤとする。）により録画された料理番組の入ったＤＶＤディスクを、上記ＤＶＤ装置にセットして生成することにより、基情報を入力することができる。受信チューナ等を備える構成の場合には、料理番組の基情報を直接受信して記憶部６４に記憶することができる。
【００４９】
また、実施形態１では、画像表示装置３は、液晶テレビなどのパネル型テレビになっているが、これに限らず、コンピュータに使用されるディスプレイ装置などでもよい。この場合、画像表示装置の画面サイズの情報（例えば４００×３００ピクセルなど）を自動編集再生装置に記憶しておき、その画面サイズと動画像情報の画像サイズとを動画像の区分時に比較し、画像サイズが画面サイズより大きい場合、そのまま画像を再生すると、画像の一部が表示されないので、画像サイズが画面サイズ以下になるように動画像の縮小処理を行う。例えば、画像サイズが８００×６００ピクセルである場合、縦横２分の１倍に縮小し、６４０×４８０ピクセルである場合、縦横８分の５倍に縮小する。逆に、画像サイズが画面サイズより小さい場合、そのまま再生しても画像全体が表示されるが、画像サイズを画面サイズまで拡大してもよい。ただし、拡大する場合、画像が粗くなるので、例えば１．５倍を上限とするなどの制限を加えることが望ましい。
【００５０】
（実施形態２）
図２は本発明による実施形態２の料理レシピ編集提示システムにおける自動編集再生装置の区分機能の説明図である。
【００５１】
本実施形態２の料理レシピ編集提示システムは、実施形態１において、区分機能６０ａが、図２に示すように、基情報の開始時点と終了時点との間の時間を、一定時間ＴＭ毎に区分することにより、基情報を複数の分割ファイルに区分・分割することを特徴とする。なお、それら複数の分割ファイルが同じ組みとなるように互いに対応付けられることは言うまでもない。
【００５２】
ここで、料理の一通りの作り方の実演を収録した動画像情報および音声情報を含む基情報は、上記の如く、複数の分割ファイルに区分・分割しても、スポーツ番組などとは異なり、各々の分割ファイルのプロセス（料理の作り方の手順）が明確に異なることが多いという特徴がある。この特徴により、基情報を一定時間ＴＭで区分しても、精度の高い区分が可能となる。また、各プロセスの移行箇所に対する区分箇所の誤差の発生が致命的な問題になることはなく、基情報をおおよそのプロセスごとに区分することができれば十分有用である。例えば、「材料を切る」という第１プロセスと、「切った材料を妙める」という第２プロセスとが連続して収録されている基情報の場合に、第１プロセスの途中の最後の部分で区分されたとしても、各分割ファイルが元々一続きの連続した動画像および音声であり、第１プロセスと第２プロセスとが連続するので、各分割ファイルの動画像および音声により、各プロセスを違和感無く確認していくことができる。
【００５３】
以上、本実施形態２によれば、基情報を複数の分割ファイルに簡単に区分・分割することができ、また各分割ファイルの動画像および音声により、料理の作り方の各手順を違和感無く確認していくことができる。
【００５４】
（実施形態３）
図３は本発明による実施形態３の料理レシピ編集提示システムにおける自動編集再生装置の区分機能の説明図である。
【００５５】
本実施形態３の料理レシピ編集提示システムは、実施形態１において、区分機能６０ａが、図３に示すように、基情報に含まれる動画像情報を基に、その基情報の開始時点と終了時点との間の一定時間ＴＭ毎に、その一定時間ＴＭ離れた両フレームを抽出して差分を求め、この差分が所定のしきい値を超えた場合に、その両フレーム間（図では中央）で基情報を区分（分割）する処理を繰り返すことを特徴とする。なお、上記両フレーム間の互いに隣接する両フレームについて同様の処理を行い、しきい値を超えることになったフレームで、区分してもよい。
【００５６】
料理の作り方の各プロセスは、「材料を切る」、「色づくまで妙める」、「水を加えて煮込む」などのように類似性が少ないので、あるプロセスからその次のプロセスに変わる場合、動画像のフレームの内容が大きく変化すると考えられる。
【００５７】
そこで、本実施形態３では、両フレームを抽出して差分を求め、この差分が所定のしきい値を超えた場合に、その両フレーム間で基情報を分割ファイルに区分・分割するのである。これにより、各プロセスの移行箇所に対する区分箇所の誤差の発生を抑制することができる。
【００５８】
また、一定時間ＴＭ離れた両フレームを抽出するので、一定時間ＴＭを適切な時間（例えば一プロセスに要する目安となる時間の十分の一程度の時間）に調整することにより、分割ファイルの数が膨大になるのを防止することができるとともに、区分箇所がプロセス間の箇所から大きくずれるのを防止することができる。
【００５９】
以上、本実施形態３によれば、料理の作り方の各手順の移行箇所に対する区分箇所の誤差の発生を抑制することができ、また一定時間ＴＭを適切な時間に調整することにより、分割ファイルの数が膨大になるのを防止することができるとともに、区分箇所が、料理の作り方の各手順間の箇所から大きくずれるのを防止することができる。
【００６０】
（実施形態４）
図４は本発明による実施形態４の料理レシピ編集提示システムにおける自動編集再生装置の区分機能の説明図である。
【００６１】
本実施形態４の料理レシピ編集提示システムは、実施形態１または３において、区分機能６０ａが、図４に示すように、基情報に含まれる音声情報を基に、上述の料理の実演をする人の音声が一定時間ＴＭ以上無い無音声箇所を検索し、その無音声箇所で基情報を区分・分割することを特徴とする。
【００６２】
通常、料理番組では、一つのプロセスに対して、その開始直後から終了直前までの間でその内容の解説（ナレーション）が行われ、次のプロセスに移行する間は、ナレーションの無い空白（無音声）部分となる場合が多い。
【００６３】
そこで、本実施形態４では、一定時間ＴＭ以上、ナレーションのない区間を次のプロセスへの移行区間とみなし、基情報に含まれる音声情報を基に、料理の実演をする人の音声が一定時間ＴＭ以上無い無音声箇所を検索し、無音声箇所（図では無音声箇所の中央）で基情報を区分するのである。具体例としては、基情報に含まれる音声情報から得られる音声レベルが、所定レベル以下となって一定時間ＴＭ以上連続する箇所を、無音声箇所として検索することができる。あるいは、自動編集再生装置６に音声認識機能を付加して音声情報をテキストデータに変換し、一定時間ＴＭ以上、テキストデータの得られない箇所を無音声箇所として検索することができる。
【００６４】
以上、本実施形態４によれば、料理の作り方の各手順の移行箇所に対する区分箇所の誤差の発生を抑制することができる。また、実施形態３と組み合わせることにより、料理の作り方の各手順の移行箇所に対する区分箇所の誤差の発生をより好適に抑制することができる。
【００６５】
（実施形態５）
図５は本発明による実施形態５の料理レシピ編集提示システムにおける自動編集再生装置の構成図である。
【００６６】
本実施形態５の料理レシピ編集提示システムは、実施形態１〜４のいずれかにおいて、記憶部６４が、料理に関するキーワード（例えば材料名など）を各種さらに記憶し、制御部６０が、音声認識機能６０ｅと、キーワード割付機能６０ｆとをさらに有することを特徴とする。なお、上記各種キーワードは、記憶部６４に限らず、例えばＲＯＭまたはＥＥＰＲＯＭなどの不揮発性の半導体記憶装置に記憶される構成でもよい。
【００６７】
音声認識機能６０ｅは、基情報に含まれる音声情報を認識してテキストに変換する処理を行うものである。なお、音声認識機能６０ｅは、制御部６０とは別のＣＰＵおよびこれにより実行される音声認識専用のプログラムなどにより構成されるものでもよい。
【００６８】
キーワード割付機能６０ｆは、記憶部６４に記憶されたキーワードが音声認識機能６０ｅにより変換されたテキストに含まれているか否かを判別し、そのキーワードが含まれていれば、そのキーワードを基情報による複数の分割ファイルの組みに割り付けて、各基情報による複数の分割ファイルの組み別に記憶部６４に記憶する処理を行うものである。つまり、記憶部６４には、基情報による複数の分割ファイルの組みが、複数組み記憶されており、それらの組み別にキーワードが割り付けられるのである。
【００６９】
そして、メニュー表示機能６０ｃは、実施形態１〜４のいずれかとの相違点として、画像表示装置３の画面３０に表示された、記憶部６４に記憶された各キーワードの全部または一部についてのレシピメニューにおいて、各キーワードから所望のキーワードを選択する指示が、インタフェース６１を介して入力されると、その指示を実施形態１の分割情報メニュー表示指示とする処理が実行される。つまり、所望のキーワードで指定された所望の料理（基情報）に対応する、複数の分割情報の全部または一部についての分割情報メニューを、画像表示装置３の画面３０に表示する分割情報メニュー表示指示とされるのである。
【００７０】
一具体例として、上記レシピメニューは、起動時に表示される初期メニューであり、上下矢印を右側に配し、少なくとも一列で複数行のテーブルを含んだ構成になっている。このテーブルは、上下矢印のいずれかを指で触れることにより、指で触れた矢印の方向にスクロール自在になっているとともに、各項目としての各キーワードのいずれか一つの選択を可能とするソフト構成になっている。そして、所望のキーワードをいわゆるダブルクリック風に指で２回触れるか、あるいは、所望のキーワードを１回指で触れた後、別の「ＯＫ」の文字を内包する画像釦を指で触れることにより、所望のキーワードを選択する指示が確定する。なお、これに限らず、キーワードを内包し指で触れられるとそのキーワードを選択する指示を確定するための画像釦を、所定数含むとともに、その所定数の画像釦により、全部のキーワードを表示しきれない場合に、残りのキーワードを内包する同様の画像釦を、所定数ずつ順次表示するための切替表示用画像釦を含むメニューを、レシピメニューとしてもよい。
【００７１】
ここで、料理番組をレシピとして記憶部６４に蓄積する構成では、検索機能は欠かせない。レシピの検索キーワードとしては、材料名や料理名が使用されることが多いが、蓄積したレシピの数が多くなるほど、その検索キーワードを各レシピに割り当てる作業が非常に面倒になってくる。例えば、予め設定された料理番組の名称および放送日を基に、その料理番組のキーワードをウェブサーバからダウンロードして自動登録する構成も考えられるが、設定作業の負担が利用者から提供者にかわるだけであり、設定作業の負担を無くす解決にはならない。
【００７２】
そこで、本実施形態５では、料理番組のナレーションには必ず材料の説明が含まれることを利用して、自動的に、ナレーションからキーワードを抽出して、対応する複数の分割ファイルの組みに割り付けるのである。また、通常は、材料の紹介をしてから調理に入るので、基情報による複数の分割ファイルのうち最初と２番目の分割ファイルの音声情報から、あるいは複数の分割ファイルにおける開始時点から所定時間（例えば５分間）内の音声情報から、キーワードを探すことにより、キーワードの探索時間の短縮が可能となる。
【００７３】
以上、本実施形態５によれば、レシピメニューからキーワードを基に所望の料理を選定することができ、しかもキーワードを各複数の分割ファイルの組み毎に割り付ける手間を無くすことができる。また、レシピデータベースを自動で構築することができる。
【００７４】
なお、実施形態５では、レシピメニューは、起動時に表示される初期メニューになっているが、これに限らず、初期メニューからタッチパネル４の入力により切り替えられる階層的に後のメニューでもよい。この場合、メニュー表示機能６０ｃは、所定メニューからタッチパネル４により、記憶部６４に記憶された各キーワードの全部または一部についてのレシピメニューを、画像表示装置３の画面に表示するレシピメニュー表示指示が、インタフェース６１を介して入力されると、それら各キーワードの全部または一部を含む画像信号を生成し、この画像信号をインタフェース６３を介して画像表示装置３に出力する処理を行うようにすればよい。これにより、画像表示装置３の画面３０に、所定メニューからレシピメニューが表示されるようになる。
【００７５】
また、上記実施形態１〜５では、メニュー作成機能６０ｂが、複数の分割ファイルの各分割ファイル毎に、その分割ファイルに該当する動画像情報を基に、その分割ファイルの内容を表すとともに分割情報メニューの項目となる画像情報（サムネール画像）を作成する構成になっているが、分割ファイルに該当する音声情報に上記キーワードが含まれる場合には、そのキーワードが得られた時間帯に対応するサムネール画像にそのキーワードを並記した画像情報を作成する構成でもよい。また、キーワードに例えば料理に使用される決まり文句でその内容が分かる言葉をさらに登録しておけば、サムネール画像を省略し、その決まり文句のキーワードのみからなる画像情報を作成しても、サムネール画像を使用する場合と同様の効果が得られる。
【００７６】
（実施形態６）
本発明による実施形態６の料理レシピ編集提示システムは、実施形態５との相違点として、記憶部６４が、料理のタイトルを構成する用語を各種記憶し、制御部６０が、キーワード割付機能６０ｆに代えて、タイトル割付機能を有することを特徴とする。なお、上記各種用語は、記憶部６４に限らず、例えばＲＯＭまたはＥＥＰＲＯＭなどの不揮発性の半導体記憶装置に記憶される構成でもよい。
【００７７】
上記タイトル割付機能は、記憶部６４に記憶された用語が音声認識機能６０ｅにより変換されたテキストに含まれているか否かを判別し、その用語が含まれていれば、その用語を含む文から料理のタイトル（料理名）を決定し、このタイトルを、対応する基情報による複数の分割ファイルの組みに割り付けて、各基情報による複数の分割ファイルの組み別に記憶部６４に記憶する処理を行うものである。つまり、記憶部６４には、基情報による複数の分割ファイルの組みが、複数組み記憶されており、それらの組み別にタイトルが割り付けられるのである。
【００７８】
そして、メニュー表示機能６０ｃは、実施形態５のそれとの相違点として、画像表示装置３の画面３０に表示された、記憶部６４に記憶された各タイトルの全部または一部についてのレシピメニューにおいて、各タイトルから所望のタイトルを選択する指示が、インタフェース６１を介して入力されると、その指示を分割情報メニュー表示指示とする処理が実行される。つまり、所望のタイトルで指定された所望の料理に対応する、複数の分割情報の全部または一部についての分割情報メニューを、画像表示装置３の画面３０に表示する分割情報メニュー表示指示とされるのである。
【００７９】
一具体例として、上記レシピメニューは、起動時に表示される初期メニューであり、上下矢印を右側に配し、少なくとも一列で複数行のテーブルを含んだ構成になっている。このテーブルは、上下矢印のいずれかを指で触れることにより、指で触れた矢印の方向にスクロール自在になっているとともに、各項目としての各タイトルのいずれか一つの選択を可能とするソフト構成になっている。そして、所望のタイトルをダブルクリック風に指で２回触れるか、あるいは、所望のキーワードを１回指で触れた後、別の「ＯＫ」の文字を内包する画像釦を指で触れることにより、所望のタイトルを選択する指示が確定する。なお、これに限らず、タイトルを内包し指で触れられるとそのタイトルを選択する指示を確定するための画像釦を、所定数含むとともに、その所定数の画像釦により、全部のタイトルを表示しきれない場合に、残りのタイトルを内包する同様の画像釦を、所定数ずつ順次表示するための切替表示用画像釦を含むメニューを、レシピメニューとしてもよい。
【００８０】
ここで、料理についての複数の分割ファイルの何れかによりその実演を見る場合、タイトルが設定されていると便利であり、また、レシピ検索ではキーワードとして材料名とともに料理名がよく使われるため、料理名をタイトルとして設定しておくと使い勝手が良くなる。しかし、実施形態５のキーワードと同様に、タイトルを各レシピに割り当てる作業が非常に面倒になってくるので、本実施形態６でも、複数の分割ファイルの組みにそのタイトルを自動的に割り付けるのである。
【００８１】
料理名をタイトルにする場合、キーワードと異なり、各種タイトル候補を予め辞書として記憶部６４に記憶しておくことは非常に困難である。例えば、スパゲッティの場合、ミートソースやカルボナーラといった定番だけでなく、「トマトとバジルの…」、「ツナとアスパラガスの…」、「キノコのクリーム…」というように、使用材料次第で変わる料理名が多数存在するからである。また、定番料理であっても、「…のカルボナーラ」といった修飾語が付けられる場合もあるため、名前の候補を絞り込むことは非常に難しい。
【００８２】
そこで、本実施形態６では、記憶部６４に料理名を構成する基本的な用語（スパゲッティやおひたし、〜和え、〜煮、グラタンなどの言葉）を各種記憶し、ナレーションからその用語を含む、例えば「今日は〜を作ります。」という文を抽出する。
【００８３】
以上、本実施形態６によれば、レシピメニューからタイトルを基に所望の料理を選定することができ、しかもタイトルを各複数の分割ファイルの組み毎に割り付ける手間を無くすことができる。また、レシピデータベースを自動で構築することができる。
【００８４】
なお、実施形態６では、レシピメニューは、起動時に表示される初期メニューになっているが、これに限らず、初期メニューからタッチパネル４の入力により切り替えられる階層的に後のメニューでもよい。この場合、メニュー表示機能６０ｃは、所定メニューからタッチパネル４により、記憶部６４に記憶された各タイトルの全部または一部についてのレシピメニューを、画像表示装置３の画面に表示するレシピメニュー表示指示が、インタフェース６１を介して入力されると、それら各タイトルの全部または一部を含む画像信号を生成し、この画像信号をインタフェース６３を介して画像表示装置３に出力する処理を行うようにすればよい。これにより、画像表示装置３の画面３０に、所定メニューからレシピメニューが表示されるようになる。
【００８５】
また、実施形態５，６の変形例として、自動編集再生装置６に例えば日本語入力機能を備え、画像表示装置３の画面３０に、自動的に設定されたキーワードまたはタイトルを表示するとともに、その修正用の入力欄と、日本語入力用の例えばキーボード画像とを表示し、そのキーボード画像により上記入力欄に入力された文字列で、自動的に設定されたキーワードまたはタイトルを修正することができるようにしてもよい。
【図面の簡単な説明】
【００８６】
【図１】本発明による実施形態１の料理レシピ編集提示システムの概略構成図である。
【図２】本発明による実施形態２の料理レシピ編集提示システムにおける自動編集再生装置の区分機能の説明図である。
【図３】本発明による実施形態３の料理レシピ編集提示システムにおける自動編集再生装置の区分機能の説明図である。
【図４】本発明による実施形態４の料理レシピ編集提示システムにおける自動編集再生装置の区分機能の説明図である。
【図５】本発明による実施形態５の料理レシピ編集提示システムにおける自動編集再生装置の構成図である。
【符号の説明】
【００８７】
１  テレビ
２  録画再生装置
３  画像表示装置
３０  画面
３１  インタフェース
４  タッチパネル
４０  インタフェース
５  音声出力装置
６  自動編集再生装置
６０  制御部
６０ａ  区分機能
６０ｂ  メニュー作成機能
６０ｃ  メニュー表示機能
６０ｄ  再生機能
６０ｅ  音声認識機能
６０ｆ  キーワード割付機能
６１〜６３  インタフェース
６４  記憶部
【図１】
2005341182.tif 000003
【図２】
2005341182.tif 000004
【図３】
2005341182.tif 000005
【図４】
2005341182.tif 000006
【図５】
2005341182.tif 000007